(57)【特許請求の範囲】
【請求項１】
フィルタ層に水を透過させて当該水を浄化させるフィルタであって、
前記フィルタ層が、
内部と外部とを連通させるように周面に穴を形成された芯管と、
前記芯管の周囲に巻き付けられたポリ塩化ビニリデン、ポリ塩化ビニル、シリカ系セラミックスのうちのいずれかからなるフィルタ繊維と
を備えてなり、
前記フィルタ繊維が、ポリ塩化ビニリデン、ポリ塩化ビニル、シリカ系セラミックスのうちのいずれかからなる短繊維の端部を突出させた触手部を有するように当該短繊維を長繊維状に縒ったものである
ことを特徴とするフィルタ。
【請求項２】
請求項１において、
前記フィルタ繊維が前記芯管にヘリカル状に巻き付けられている
ことを特徴とするフィルタ。
【請求項３】
水にオゾンを供給するオゾン供給手段と、
請求項１又は２のフィルタを内蔵し、オゾンを供給された前記水を当該フィルタに透過させて送出するフィルタユニットと
を備えたことを特徴とする水浄化システム。
【請求項４】
請求項３において、
前記オゾン供給手段の上流側に砂濾過器を設けた
ことを特徴とする水浄化システム。
【請求項５】
請求項３又は４において、
前記フィルタユニットの下流側に設けられ、前記水中のオゾン濃度を検出するオゾン濃度検出手段と、
前記オゾン濃度検出手段からの信号に基づいて、前記オゾン供給手段からのオゾン供給量を制御する制御手段と
を備えたことを特徴とする水浄化システム。
【請求項６】
請求項３から５のいずれかにおいて、
前記水がプールで使用されるものである
ことを特徴とする水浄化システム。
【発明の詳細な説明】
【０００１】
【発明の属する技術分野】
本発明は、フィルタおよびこれを利用した水浄化システムに関し、特にオゾンにより水を浄化する場合に適用すると有効である。
【０００２】
【従来の技術】
プールの水をオゾンにより浄化する従来の水浄化システムを図９に示す。
【０００３】
図９に示すように、プール１００には、当該プール１００内の水１を送出する送水ポンプ１１１が除毛器（ヘアキャッチャ）１００ａを介して連結されている。送水ポンプ１１１の送水口は、砂濾過器１１２の受水口に連結されている。砂濾過器１１２の送水口は、プール１００に連絡している。
【０００４】
砂濾過器１１２の送水口の近傍には、送水ポンプ１１３の受水口が連結されている。送水ポンプ１１３の送水口は、エジェクタ１１４の水受入口に連結されている。エジェクタ１１４のガス受入口には、オゾンガス２を発生させて送出するオゾン発生器１１５が連結されている。エジェクタ１１４の送出口は、溶解槽１１６の受水口に連結されている。溶解槽１１６の送水口は、前記砂濾過器１１２の受水口の近傍に連結されている。
【０００５】
このような従来の水浄化システムにおいて、送水ポンプ１１１を作動すると共にオゾン発生器１１５を作動すると、プール１００内の水１は、除毛器１００ａで除毛された後、砂濾過器１１２内に送給されて不溶物（大きさ：１５〜２０μｍ以上）を取り除かれて砂濾過器１１２から送出され、プール１００に戻される。
【０００６】
このとき、砂濾過器１１２で不溶物を取り除かれた水１の一部は、送水ポンプ１１３によりエジェクタ１１４に送給され、オゾン発生器１１５で発生したオゾンガス２をエジェクタ１１４内に吸い込んで抱き込みながら溶解槽１１６内に送り込まれ、当該オゾンガス２と混合されてオゾン水３となって、砂濾過器１１２に送給される前の水１に加えられる。
【０００７】
このオゾン水３は、プール１００から送り出された水１を滅菌処理すると共に、砂濾過器１１２で取り除いた有機物を分解処理し、砂濾過器１１２から送出されるときにはオゾンガス２が消費されて清浄な水１となる。
【０００８】
つまり、プール１００内の水１をオゾンで滅菌処理するにあたって、オゾンガス２の溶媒にプール１００の水１を利用すると共に、オゾンガス２の無駄な消費を避けるために砂濾過器１１２を透過した水１にオゾンガス２を溶解させるようにし、オゾンガス２のプール１００内への一定値以上の漏出を避けるために砂濾過器１１２に送給される前の水１にオゾン水３を加えて当該砂濾過器１１２内でオゾンガス２を消費させるようにしているのである。
【０００９】
このため、このような水浄化システムによれば、プール１００の水１をオゾンガス２で効率よく滅菌することができると共に、プール１００内の水１のオゾン濃度を一定値以下に抑制することが簡単にできるので、水１に添加する殺菌用の塩素剤の使用量を大幅に減らすことができる。
【００１０】
【発明が解決しようとする課題】
近年、プール１００で使用される水１においては、より高い透明度が求められている。ところが、前述したような砂濾過器１１２では、１５〜２０μｍ程度までの大きさの不溶物を除去することしかできない。
【００１１】
そこで、数μｍ程度までの大きさの不溶物を除去できるポリプロピレン製のフィルタを使用することが考えられるが、当該フィルタは、耐オゾン性が低くて短期間で劣化してしまい、使用することができなかった。そのため、耐オゾン性を有しながらも非常に高価なステンレス製やアルミナ系多孔質性セラミックス製やフッ素樹脂製のフィルタを使用しなければならず、設備コストの上昇を招いていた。
【００１２】
このような問題は、プール１００の水１をオゾンにより浄化するシステムに限らず、水をオゾンにより浄化すると共に当該水の高透明度化を図る水浄化システムであれば、上述した場合と同様に生じていた。
【００１３】
このようなことから、本発明は、オゾンにより浄化される水の透明度を低コストで高めることができるフィルタおよびこれを利用する水浄化システムを提供することを目的とした。
【００１４】
【課題を解決するための手段】
前記課題を解決するための、第一番目の発明によるフィルタは、フィルタ層に水を透過させて当該水を浄化させるフィルタであって、前記フィルタ層が、内部と外部とを連通させるように周面に穴を形成された芯管と、前記芯管の周囲に巻き付けられたポリ塩化ビニリデン、ポリ塩化ビニル、シリカ系セラミックスのうちのいずれかからなるフィルタ繊維とを備えてなり、前記フィルタ繊維が、ポリ塩化ビニリデン、ポリ塩化ビニル、シリカ系セラミックスのうちのいずれかからなる短繊維の端部を突出させた触手部を有するように当該短繊維を長繊維状に縒ったものであることを特徴とする。
【００１６】
第二番目の発明によるフィルタは、第一番目の発明において、前記フィルタ繊維が前記芯管にヘリカル状に巻き付けられていることを特徴とする。
【００１７】
一方、前述した課題を解決するための、第三番目の発明による水浄化システムは、水にオゾンを供給するオゾン供給手段と、第一又は二番目の発明のフィルタを内蔵し、オゾンを供給された前記水を当該フィルタに透過させて送出するフィルタユニットとを備えたことを特徴とする。
【００１８】
第四番目の発明による水浄化システムは、第三番目の発明において、前記オゾン供給手段の上流側に砂濾過器を設けたことを特徴とする。
【００１９】
第五番目の発明による水浄化システムは、第三又は四番目の発明において、前記フィルタユニットの下流側に設けられ、前記水中のオゾン濃度を検出するオゾン濃度検出手段と、前記オゾン濃度検出手段からの信号に基づいて、前記オゾン供給手段からのオゾン供給量を制御する制御手段とを備えたことを特徴とする。
【００２０】
第六番目の発明による水浄化システムは、第三から五番目の発明のいずれかにおいて、前記水がプールで使用されるものであることを特徴とする。
【００２１】
【発明の実施の形態】
本発明によるフィルタおよびこれを利用する水浄化システムの実施の形態を以下に説明するが、本発明はこれらの実施の形態に限定されるものではない。
【００２２】
［第一番目の実施の形態］
本発明によるフィルタおよびこれを利用する水浄化システムをプールの水の浄化に適用した場合の第一番目の実施の形態を図１〜３を用いて説明する。図１は、水浄化システムの全体概略構成図、図２は、フィルタの概略構造図、図３は、図２のフィルタ繊維の抽出拡大図である。
【００２３】
本実施の形態による水浄化システムは、図１に示すように、プール１００の水１にオゾン水３を供給するオゾン供給手段を構成する送水ポンプ１３、エジェクタ１４、オゾン発生器１５、溶解槽１６等と、当該オゾン供給手段の上流側に設けられた砂濾過器１２と、ポリ塩化ビニリデン、ポリ塩化ビニル、シリカ系セラミックスのうちのいずれかからなるフィルタ層２２を備えたフィルタ２１（図２参照）を内蔵し、オゾン水３を供給された前記水１を当該フィルタ２１に透過させてプール１００に戻すフィルタユニット２０とを備えている。
【００２４】
具体的には、図１に示すように、プール１００には、当該プール１００内の水１を送出する送水ポンプ１１が除毛器（ヘアキャッチャ）１００ａを介して連結されている。送水ポンプ１１の送水口は、砂濾過器１２の受水口に連結されている。砂濾過器１２の送水口は、フィルタユニット２０（詳細は後述する。）の受水口に連結されている。フィルタユニット２０の送水口は、プール１００に連絡している。
【００２５】
砂濾過器１２の送水口の近傍には、送水ポンプ１３の受水口が連結されている。送水ポンプ１３の送水口は、エジェクタ１４の水受入口に連結されている。エジェクタ１４のガス受入口には、オゾンガス２を発生させて送出するオゾン発生器１５が連結されている。エジェクタ１４の送出口は、溶解槽１６の受水口に連結されている。溶解槽１６の送水口は、前記フィルタユニット２０の受水口の近傍に連結されている。
【００２６】
前記フィルタユニット２０は、その内部に図２に示すようなフィルタ２１を備えている。このフィルタ２１は、内部と外部とを連通させるように周面にハニカム状の穴を多数形成されたスケルトン型の芯管２２と、この芯管２２の周囲に巻き付けられたフィルタ層２３とを備えている。
【００２７】
上記フィルタ層２３は、ポリ塩化ビニリデン、ポリ塩化ビニル、シリカ系セラミックスのうちのいずれかからなるフィルタ繊維２３ａを前記芯管２２にヘリカル状に巻き付けられたものである。このフィルタ繊維２３ａは、シリカ系セラミックスを長繊維状に成形したものか、または、図３に示すように、ポリ塩化ビニリデン、ポリ塩化ビニル、シリカ系セラミックスのうちのいずれかからなる短繊維２３ａａ（長さ：１０ｃｍ程度）の端部を突出させた触手部２３ａｂを有するように、すなわち、いわゆる「ケバ立ち」を有するように当該短繊維２３ａａを縒って長繊維状に仕上げられたものである。
【００２８】
このようなフィルタ２１を内蔵したフィルタユニット２０において、当該フィルタユニット２０内に水１が流入すると、当該水１は、フィルタ２１の外側から内側へ向けてフィルタ層２３を透過するようにして流通することにより、不溶物（大きさ：２〜５μｍ以上）をフィルタ層２３で取り除かれながら芯管２２内に流入して、当該フィルタユニット２０から送出されるようになっている。
【００２９】
このとき、フィルタ層２３のフィルタ繊維２３ａの触手部２３ａｂが水１中の不溶物を確実に捕捉するので、水１の透明度をより確実に高めることができる。
【００３０】
このような水浄化システムにおいて、送水ポンプ１１を作動すると共にオゾン発生器１５を作動すると、プール１００内の水１は、除毛器１００ａで除毛された後、砂濾過器１２内に送給されて不溶物（大きさ：１５〜２０μｍ以上）を取り除かれて砂濾過器１２から送出される。
【００３１】
砂濾過器１２から送出された水１は、その一部が送水ポンプ１３によりエジェクタ１４に送給され、オゾン発生器１５で発生したオゾンガス２をエジェクタ１４内に吸い込んで抱き込みながら溶解槽１６内に送り込まれ、当該オゾンガス２と混合されてオゾン水３となって、前記砂濾過器１２から送出された残りの水１に戻される。
【００３２】
オゾン水３としてその一部を戻された水１は、オゾンガス２によって滅菌処理されながらフィルタユニット２０内に送給され、上述したようにしてフィルタ２１内を透過することにより不溶物（大きさ：２〜５μｍ以上）を除去されると同時に、上記オゾンガス２がフィルタ２１に付着している有機物を分解処理して当該フィルタ２１を再生処理して消費されることにより、一定値以下のオゾン濃度の清浄な水１となって当該フィルタユニット２０からプール１００内に戻される。
【００３３】
ここで、フィルタ２１は、フィルタ層２３がポリ塩化ビニリデン、ポリ塩化ビニル、シリカ系セラミックスのうちのいずれかからなる繊維を用いているので、耐オゾン性が高くて長期にわたって使用することができると共に、コストを大幅に削減することができる（他の耐オゾン性を有するフィルタの約１〜２割程度）。
【００３４】
したがって、オゾンにより浄化されたプール１００の水１の透明度を低コストで高めることができる。
【００３５】
また、オゾン水３をフィルタユニット２０に送給してフィルタ２１の再生処理を行っているので、フィルタ２１にかかる圧力の上昇を抑えることができる。具体的には、図４に示すように、水１にオゾン水３を加えることなく当該水１をフィルタユニット２０に送給すると、フィルタ２１にかかる圧力が次第に増加して当該フィルタ２０に多大な負荷が加わってしまうものの、水１にオゾン水３を加えるようにすると、フィルタ２１に付着している有機物が分解処理されて当該フィルタ２１にかかる圧力を当初の大きさ近傍にまで戻して負荷の増大を抑制することができる。
【００３６】
なお、フィルタ繊維２３ａの材料としては、ポリ塩化ビニリデンやポリ塩化ビニルよりもシリカ系セラミックスの方が小さい粒径の不溶物を取り除くことができるので好ましい。これは、ポリ塩化ビニリデン繊維やポリ塩化ビニル繊維よりもシリカ系セラミックス繊維の方が、表面の摩擦抵抗が大きいため、フィルタ繊維２３ａを芯管２２の周囲に隙間を詰めて高密度で巻き付けることができるからと考えられる。
【００３７】
また、短繊維２３ａａを縒って触手部２３ａｂを有するように長繊維状に仕立てる場合には、シリカ系セラミックスよりもポリ塩化ビニリデンやポリ塩化ビニルを用いるとよい。なぜなら、ポリ塩化ビニリデンやポリ塩化ビニルを用いる場合には、短繊維２３ａａを縒って触手部２３ａｂを有するように仕立てた長繊維を用いることにより、十分な効果を発現することができるものの、シリカ系セラミックスを用いる場合には、短繊維２３ａａを縒って触手部２３ａｂを有するように仕立てた長繊維を用いずに、単に長繊維状に成形したものを用いるだけでも十分な効果を発現することができるからである。
【００３８】
また、シリカ系セラミックスとしては、ＳｉＯ2 を主成分とし、その他Ａｌ2 Ｏ3 やＮａ2 Ｏ等を含むものであり、特に、ＳｉＯ2 を９０％以上含むものであると好ましい。
【００３９】
［第二番目の実施の形態］
本発明によるフィルタおよびこれを利用する水浄化システムをプールの水の浄化に適用した場合の第二番目の実施の形態を図５を用いて説明する。図５は、水浄化システムの全体概略構成図である。ただし、前述した第一番目の実施の形態の場合と同様な部材については、前述した第一番目の実施の形態の説明で用いた符号と同様な符号を用いることにより、その説明を省略する。
【００４０】
本実施の形態による水浄化システムは、図５に示すように、プール１００の水１にオゾン水３を供給するオゾン供給手段を構成する送水ポンプ１３、エジェクタ１４、オゾン発生器１５、溶解槽１６等と、これらオゾン供給手段の上流側に設けられた砂濾過器１２と、ポリ塩化ビニリデン、ポリ塩化ビニル、シリカ系セラミックスのうちのいずれかからなるフィルタ層２２を備えたフィルタ２１（図２参照）を内蔵し、オゾン水３を供給された前記水１を当該フィルタ２１に透過させてプール１００に戻すフィルタユニット２０と、フィルタユニット２０の下流側に設けられて水１中のオゾン濃度を検出するオゾン濃度検出手段であるオゾンセンサ１７と、オゾンセンサ１７からの信号に基づいて、前記オゾン発生器１５からのオゾンガス２の供給量を制御する制御手段である制御装置１８とを備えている。
【００４１】
具体的には、図５に示すように、フィルタユニット２０の送出口部分には、水１中のオゾン濃度を検出するオゾンセンサ１７が取り付けられている。このオゾンセンサ１７は、制御装置１８に電気的に接続されている。この制御装置１８は、前記オゾン発生器１５に電気的に接続されており、オゾンセンサ１７からの信号に基づいて、前記オゾン発生器１５からのオゾンガス２の供給量を制御することができるようになっている。
【００４２】
このような本実施の形態では、フィルタユニット２０から送出される水１のオゾン濃度が何らかの原因で規定値を超えてしまった場合、制御装置１８がオゾンセンサ１７からの信号に基づいて、オゾン発生器１５から発生させるオゾンガス２の供給量を制御し、フィルタユニット２０から送出される水１のオゾン濃度を規定値以下に戻すことができる。
【００４３】
したがって、本実施の形態によれば、前述した実施の形態の場合と同様な効果を得ることができるのはもちろんのこと、プール１００の水１のオゾン濃度を常に一定値以下に抑えることができるので、プール１００の水１の安全性の確保を容易に行うことができる。
【００４４】
また、例えば、本発明による水浄化システムの運転データやプール１００の水質データ等を監視する監視装置を、制御装置１８に内蔵または制御装置１８とは別置に備え、当該監視装置は、前記データや制御装置１８の制御信号を、プール１００から遠方にあって水浄化システムを集中的に管理する集中管理センタやサービスセンタ等との間で、公衆回線または専用回線等を経由したインタネットやイントラネット網等を介して受信および発信する機能を備えることも可能である。
【００４５】
あるいは、例えば、制御装置１８をプール１００から遠方にある集中管理室に設け、当該制御装置１８と前記オゾンセンサ１７やオゾン発生器１５等とをインターネット等の通信システムを介して接続すると共に、他の場所にあるプール１００の水浄化システムの前記オゾンセンサ１７やオゾン発生器１５等も当該制御装置１８に同様にして接続することにより、複数のプール１００の水１のオゾン濃度を一括して集中管理することができる。
【００４６】
なお、前述した各実施の形態では、プール１００の水１をオゾンにより浄化するシステムに適用した場合について説明したが、これに限らず、水をオゾンにより浄化すると共に当該水の高透明度化を図る水浄化システムの場合であれば、前述した各実施の形態の場合と同様にして適用することができ、前述した各実施の形態の場合と同様な効果を得ることができる。
【００４７】
【実施例】
本発明によるフィルタの効果を確認するため、以下のような実験を行った。
【００４８】
［実験方法］
ポリ塩化ビニリデン繊維およびシリカ系セラミックス繊維（組成：ＳｉＯ2 ９４．５％，Ａｌ2 Ｏ3 ４．５％，Ｎａ2 Ｏ０．５％以下、その他０．５％以下）を用いたフィルタ層に、所定の大きさの不溶物を混在させた水をそれぞれ流通（１０リットル／分）させることにより、不溶物の大きさごとの除去率を各々求めた。その結果を図６，７にそれぞれ示す。なお、比較のため、ポリプロピレン繊維を用いたフィルタ層および砂濾過器にそれぞれ流通させた場合の不溶物の大きさごとの除去率も各々求めた。その結果を図８に示す。
【００４９】
［実験結果］
図８に示すように、砂濾過器では、不溶物の大きさが５０μｍ以上であれば、除去率が約１００％であるが、不溶物の大きさが１５μｍ以下になると、除去率が約５０％以下となってしまう。一方、ポリプロピレン繊維を用いたフィルタ層では、不溶物の大きさが１５μｍまで約１００％の除去率で取り除くことができ、不溶物の大きさが５μｍまで約５０％以上の除去率で取り除くことができるものの、耐オゾン性が弱いために使用することができない。
【００５０】
これに対し、ポリ塩化ビニリデン繊維を用いたフィルタ層では、耐オゾン性を有すると同時に、図６に示すように、不溶物の大きさが１５μｍまで約９０％以上の除去率で取り除くことができ、不溶物の大きさが５μｍまで約５０％以上の除去率で取り除くことができる。さらに、シリカ系セラミックス繊維を用いたフィルタ層では、耐オゾン性を有すると同時に、図７に示すように、不溶物の大きさが５μｍまで約９０％以上の除去率で取り除くことができ、不溶物の大きさが２μｍまで約５０％以上の除去率で取り除くことができる。
【００５１】
したがって、ポリ塩化ビニリデン繊維を用いれば、耐オゾン性を有しながらも、小さいサイズの不溶物（５μｍ程度）も満足できる程度に除去でき、シリカ系セラミックス繊維を用いれば、耐オゾン性を有しながらも、さらに小さいサイズの不溶物（２μｍ程度）も満足できる程度に除去できることが確認された。
【００５２】
【発明の効果】
第一番目の発明によるフィルタは、フィルタ層に水を透過させて当該水を浄化させるフィルタであって、前記フィルタ層が、内部と外部とを連通させるように周面に穴を形成された芯管と、前記芯管の周囲に巻き付けられたポリ塩化ビニリデン、ポリ塩化ビニル、シリカ系セラミックスのうちのいずれかからなるフィルタ繊維とを備えてなり、前記フィルタ繊維が、ポリ塩化ビニリデン、ポリ塩化ビニル、シリカ系セラミックスのうちのいずれかからなる短繊維の端部を突出させた触手部を有するように当該短繊維を長繊維状に縒ったものであることから、耐オゾン性が高くて長期にわたって使用することが低コストででき、オゾンにより浄化された水の透明度を低コストで確実に高めることができる。
【００５４】
第二番目の発明によるフィルタは、第一番目の発明において、前記フィルタ繊維が前記芯管にヘリカル状に巻き付けられているので、第一番目の発明で得られる効果をより確実に得ることができる。
【００５５】
一方、第三番目の発明による水浄化システムは、水にオゾンを供給するオゾン供給手段と、第一又は二番目のフィルタを内蔵し、オゾンを供給された前記水を当該フィルタに透過させて送出するフィルタユニットとを備えたので、オゾンにより浄化された水の透明度を低コストで高めることができる。
【００５６】
第四番目の発明による水浄化システムは、第三番目の発明において、前記オゾン供給手段の上流側に砂濾過器を設けたので、水の処理にオゾンを有効に使用することができると共に、フィルタの目詰まりを抑制することができる。
【００５７】
第五番目の発明による水浄化システムは、第三または四番目の発明において、前記フィルタユニットの下流側に設けられ、前記水中のオゾン濃度を検出するオゾン濃度検出手段と、前記オゾン濃度検出手段からの信号に基づいて、前記オゾン供給手段からのオゾン供給量を制御する制御手段とを備えたので、水のオゾン濃度を常に一定値以下に抑えることができ、水の安全性の確保を容易に行うことができる。
【００５８】
第六番目の発明による水浄化システムは、第三から五番目の発明のいずれかにおいて、前記水がプールで使用されるものであるので、プールの水を滅菌処理する塩素剤の使用量を大幅に減らすことができる。
【図面の簡単な説明】
【図１】本発明による水浄化システムをプールの水の浄化に適用した場合の第一番目の実施の形態の全体概略構成図である。
【図２】本発明によるフィルタの実施の形態の概略構造図である。
【図３】図２のフィルタ繊維の抽出拡大図である。
【図４】オゾンの使用の有無とフィルタにかかる圧力との関係を表すグラフである。
【図５】本発明による水浄化システムをプールの水の浄化に適用した場合の第二番目の実施の形態の全体概略構成図である。
【図６】図２のフィルタにポリ塩化ビニリデン繊維を用いた場合の不溶物の大きさと除去率との関係を表すグラフである。
【図７】図２のフィルタにシリカ系セラミックス繊維を用いた場合の不溶物の大きさと除去率との関係を表すグラフである。
【図８】砂濾過器および図１のフィルタにポリプロピレン繊維を用いた場合の不溶物の大きさと除去率との関係を表すグラフである。
【図９】プールの水をオゾンにより浄化する従来のシステムの全体概略構成図である。
【符号の説明】
１  水
２  オゾンガス
３  オゾン水
１１  送水ポンプ
１２  砂濾過器
１３  送水ポンプ
１４  エジェクタ
１５  オゾン発生器
１６  溶解槽
１７  オゾンセンサ
１８  制御装置
２０  フィルタユニット
２１  フィルタ
２２  芯管
２３  フィルタ層
２３ａ  フィルタ繊維
２３ａａ  短繊維
２３ａｂ  触手部
１００  プール
１００ａ  除毛器
【図１】
0003746685.tif 000002
【図２】
0003746685.tif 000003
【図３】
0003746685.tif 000004
【図４】
0003746685.tif 000005
【図５】
0003746685.tif 000006
【図６】
0003746685.tif 000007
【図７】
0003746685.tif 000008
【図８】
0003746685.tif 000009
【図９】
0003746685.tif 000010